(57)【要約】【課題】本発明は、受信装置及び中継ケーブルに関し、例えばディジタルラジオ放送等を受信可能な携帯電話に適用して、イヤホン接続端を大型化することなく、簡易な構成でイヤホンの接続を検出可能とすることができる。【解決手段】本発明は、イヤホン３のプラグ６の接続により、ジャック７に設けた端子７Ｃ、７Ｄ間が短絡するようにし、この端子７Ｃ、７Ｄ間の短絡を本体装置４で検出可能に芯線ケーブルＬＧ、ＬＬ、ＬＲ、ＬＳを接続する。【選択図】        図１
2008311704.tif 000002
【特許請求の範囲】
【請求項１】
中継ケーブルを介して本体装置にイヤホンを接続する受信装置において、
前記中継ケーブルは、
前記本体装置に一端を接続した多芯のシールドケーブルと、
前記多芯のシールドケーブルの他端に接続されて、前記イヤホンのプラグの接続により前記プラグの端子で短絡するイヤホン検出用端子と、前記イヤホンに出力するオーディオ信号の伝送に供する信号伝送用端子とを有するジャックとを有し、
前記多芯のシールドケーブルの芯線ケーブルが、それぞれ前記イヤホン検出用端子、前記信号伝送用端子に接続され、
前記芯線ケーブルの被覆線の前記ジャック側端が開放端とされ、
前記本体装置は、
前記被覆線をアンテナ入力端に接続し、前記イヤホンのケーブル及び前記被覆線に誘起された高周波信号を前記アンテナ入力端に入力するチューナと、
前記イヤホン検出用端子に接続された芯線ケーブルを介して前記イヤホン検出用端子の短絡を検出することにより、前記ジャックへの前記イヤホンの接続を検出する検出手段とを備え、
前記検出手段による前記イヤホンの接続の検出により、前記芯線ケーブルへのオーディオ信号出力を切り換える
ことを特徴とする受信装置。
【請求項２】
前記イヤホンのプラグが、端子の極数が少なくとも3極以上のプラグであり、
前記中継ケーブルのジャックが、端子の極数が少なくとも４極以上のジャックである
ことを特徴とする請求項１に記載の受信装置。
【請求項３】
前記中継ケーブルは、
前記本体装置側にプラグが設けられ、
前記本体装置は、前記プラグを接続するジャックが設けられた
ことを特徴とする請求項１に記載の受信装置。
【請求項４】
前記中継ケーブルは、
前記被覆線の前記本体装置側端が、高周波遮断回路を介して、前記芯線ケーブルの少なくとも一部に接続された
ことを特徴とする請求項１に記載の受信装置。
【請求項５】
前記被覆線は、
前記チューナの受信波長の１／４波長の奇数倍の長さにより形成された
ことを特徴とする請求項１に記載の受信装置。
【請求項６】
前記信号伝送用端子が、右チャンネルのオーディオ信号、左チャンネルのオーディオ信号、前記右チャンネル及び左チャンネルのオーディオ信号のアースラインがそれぞれ割り当てられた端子であり、
前記イヤホン検出用端子が、前記アースラインが割り当てられた前記信号伝送用端子との間で、前記プラグの挿入により短絡状態となる端子であり、
前記検出手段は、
前記アースラインの芯線ケーブル及び前記イヤホン検出用端子に接続された芯線ケーブルの短絡を検出して前記ジャックへの前記イヤホンの接続を検出する
ことを特徴とする請求項１に記載の受信装置。
【請求項７】
高周波遮断回路を介して、イヤホン検出用端子が接続された芯線ケーブルを前記被覆線に接続した
ことを特徴とする請求項６に記載の受信装置。
【請求項８】
一端にイヤホンを接続し、他端を本体装置に接続する中継ケーブルにおいて、
前記本体装置に接続されるプラグと、
前記プラグに一端を接続する多芯のシールドケーブルと、
前記多芯のシールドケーブルの他端に接続されて、前記イヤホンを接続するジャックとを有し、
前記ジャックは、
前記イヤホンのプラグの接続により前記プラグの端子で短絡するイヤホン検出用端子と、オーディオ信号の伝送に供する信号伝送用端子とを有し、
前記中継ケーブルは、
前記ジャック側において、
前記イヤホン検出用端子、前記信号伝送用端子に芯線ケーブルが接続され、被覆線が開放端とされ、
前記プラグ側において、前記被覆線が前記本体装置のアンテナ入力端に接続され、前記イヤホンのケーブル及び前記被覆線に誘起された高周波信号を前記アンテナ入力端に入力し、前記イヤホン検出用端子に接続された芯線ケーブルが、短絡の検出により前記ジャックへの前記イヤホンの接続を検出する検出手段に接続され、前記信号伝送用端子に接続された芯線ケーブルが前記検出手段の検出結果により切り換えられるオーディオ信号の伝送に割り当てられた
ことを特徴とする中継ケーブル。
【発明の詳細な説明】
【技術分野】
【０００１】
本発明は、受信装置及び中継ケーブルに関し、例えばディジタルラジオ放送等を受信可能な携帯電話に適用することができる。本発明は、イヤホンのプラグの接続により、ジャックに設けた端子間が短絡するようにし、この端子間の短絡を本体装置で検出可能に芯線ケーブルを接続することにより、イヤホン接続端を大型化することなく、簡易な構成でイヤホンの接続を検出可能とすることができる。
【背景技術】
【０００２】
従来、携帯型の受信装置では、アンテナに関して種々の工夫が図られている。すなわちこの種のアンテナには、装置のデザインを損なわないようにする、人体への影響を防止する、機器から放射されるノイズによる影響を受け難くする等が望まれる。
【０００３】
これらのうちのデザインに関して、受信装置は、従来、アンテナを内蔵型にしてデザインを損なわないようにする工夫が施されているものの、受信周波数が低い場合には、アンテナが大型化し、内蔵することが困難になる。そこで従来、受信周波数が低い場合、受信装置は、主にロッドアンテナを使用している。しかしながらロッドアンテナを使用する場合、構成が複雑化し、ロッドアンテナが飛び出してデザインを損なう等の欠点がある。
【０００４】
このため従来、イヤホンのケーブルをアンテナとして使用する工夫が提案されており、特開２００５−６４７４２号公報には、同軸ケーブル構成の中継ケーブルを介して受信装置にイヤホンを接続することにより、人体による影響、機器から放射されるノイズによる影響を低減する方法が提案されている。
【０００５】
ところで特開２００５−６４７４２号公報に開示の構成等において、ジャックを介して中継ケーブルにイヤホンを接続するようにして、このジャックに汎用のオーディオジャックを適用すれば、ユーザーの好みに応じて種々のイヤホンを接続することができ、使い勝手を向上することができる。
【０００６】
しかしながらこのようにすると、イヤホンを接続しないで中継ケーブルを受信装置に接続する場合も予測される。従って中継ケーブルへのイヤホンの接続を検出する検知機構を設けることが必要になる。この場合、例えばオーディオ装置に適用されるプラグの挿入によりオン動作するスイッチ構成のジャックを使用して検知機構を構成することも考えられるが、この方法では、中継ケーブルのイヤホン接続端に基板を設けることが必要になり、中継ケーブルの構成が複雑になり、またイヤホン接続端が大型化する問題がある。
【特許文献１】特開２００５−６４７４２号公報
【発明の開示】
【発明が解決しようとする課題】
【０００７】
本発明は以上の点を考慮してなされたもので、イヤホン接続端を大型化することなく、簡易な構成でイヤホンの接続を検出可能な中継ケーブル、この中継ケーブルを使用した受信装置を提案しようとするものである。
【課題を解決するための手段】
【０００８】
上記の課題を解決するため請求項１の発明は、中継ケーブルを介して本体装置にイヤホンを接続する受信装置に適用して、前記中継ケーブルは、前記本体装置に一端を接続した多芯のシールドケーブルと、前記多芯のシールドケーブルの他端に接続されて、前記イヤホンのプラグの接続により前記プラグの端子で短絡するイヤホン検出用端子と、前記イヤホンに出力するオーディオ信号の伝送に供する信号伝送用端子とを有するジャックとを有し、前記多芯のシールドケーブルの芯線ケーブルが、それぞれ前記イヤホン検出用端子、前記信号伝送用端子に接続され、前記芯線ケーブルの被覆線の前記ジャック側端が開放端とされ、前記本体装置は、前記被覆線をアンテナ入力端に接続し、前記イヤホンのケーブル及び前記被覆線に誘起された高周波信号を前記アンテナ入力端に入力するチューナと、前記イヤホン検出用端子に接続された芯線ケーブルを介して前記イヤホン検出用端子の短絡を検出することにより、前記ジャックへの前記イヤホンの接続を検出する検出手段とを備え、前記検出手段による前記イヤホンの接続の検出により、前記芯線ケーブルへのオーディオ信号出力を切り換える。
【０００９】
また請求項８の発明は、一端にイヤホンを接続し、他端を本体装置に接続する中継ケーブルに適用して、前記本体装置に接続されるプラグと、前記プラグに一端を接続する多芯のシールドケーブルと、前記多芯のシールドケーブルの他端に接続されて、前記イヤホンを接続するジャックとを有し、前記ジャックは、前記イヤホンのプラグの接続により前記プラグの端子で短絡するイヤホン検出用端子と、オーディオ信号の伝送に供する信号伝送用端子とを有し、前記中継ケーブルは、前記ジャック側において、前記イヤホン検出用端子、前記信号伝送用端子に芯線ケーブルが接続され、被覆線が開放端とされ、前記プラグ側において、前記被覆線が前記本体装置のアンテナ入力端に接続され、前記イヤホンのケーブル及び前記被覆線に誘起された高周波信号を前記アンテナ入力端に入力し、前記イヤホン検出用端子に接続された芯線ケーブルが、短絡の検出により前記ジャックへの前記イヤホンの接続を検出する検出手段に接続され、前記信号伝送用端子に接続された芯線ケーブルが前記検出手段の検出結果により切り換えられるオーディオ信号の伝送に割り当てられる。
【００１０】
請求項１、又は請求項８の構成によれば、短絡検出用端子に接続された芯線ケーブルを介してイヤホンの接続を本体装置で検出することができる。またイヤホンのケーブルに誘起された高周波信号、被覆線に誘起された高周波信号が本体装置のアンテナ入力端に入力され、これによりイヤホンのケーブルをアンテナとして使用して所望の放送波を受信することができる。また受信周波数が高い場合には、被覆線のみをアンテナとして使用して、人体の接触による特性の劣化を防止して所望の放送波を受信することができる。またプラグの挿入によりジャックに設けられた端子が短絡してイヤホンの接続を検出可能とすることができ、これによりジャック側端にあっては、基板を設けることなく、ジャックを多心シールドケーブルに接続することができ、これによりイヤホン接続端の大型化を有効に回避してイヤホンの接続を検出することができる。
【発明の効果】
【００１１】
本発明によれば、イヤホン接続端の大型化を有効に回避してイヤホンの接続を検出することができる。
【発明を実施するための最良の形態】
【００１２】
以下、適宜図面を参照しながら本発明の実施例を詳述する。
【実施例１】
【００１３】
（１）実施例の構成
図２は、本発明の実施例１の受信装置である携帯電話の斜視図である。この携帯電話１は、ディジタルラジオ放送の受信機能を有する携帯電話であり、中継ケーブル２を介してイヤホン３が本体装置４に接続され、イヤホン３のケーブル及び中継ケーブル２をアンテナとして使用してラジオ放送を受信する。
【００１４】
このため中継ケーブル２は、両端に、プラグ５及びジャック７が設けられ、ジャック７にイヤホン３のプラグ６が接続される。またプラグ５が本体装置４に接続される。
【００１５】
ここで図１に示すように、イヤホン３は、このプラグ６にいわゆる３極のピンプラグが適用され、プラグの先端側の２つの端子６Ａ、６Ｂが右チャンネル及び左チャンネルのオーディオ信号ＳＡＬ及びＳＡＲに割り当てられ、プラグ６の最も根元側の端子６Ｃがアースラインに割り当てられる。イヤホン３は、これら３つの端子６Ａ〜６Ｃがケーブル１１によりスピーカ１２Ｌ、１２Ｒに接続される。
【００１６】
本体装置４において、増幅回路２０Ｌ、２０Ｒは、左チャンネル及び右チャンネルのオーディオ信号ＳＡＬ及びＳＡＲをそれぞれ増幅して出力する。切替回路２１は、この増幅回路２０Ｌ、２０Ｒから出力されるオーディオ信号ＳＡＬ、ＳＡＲを内蔵のスピーカ２２に出力し、これによりこの携帯電話１は、この内蔵のスピーカ２２を使用してラジオ放送の音声を再生する。また切替回路２１は、コントローラ２３の制御により動作を切り替え、増幅回路２０Ｌ、２０Ｒから出力されるオーディオ信号ＳＡＬ、ＳＡＲをジャック８に出力する。ここでジャック８は、中継ケーブル２のプラグ５が接続される。
【００１７】
高周波遮断回路２４Ｌ、２４Ｒは、切替回路２１とジャック８との間にそれぞれ設けられ、ジャック８から本体装置４への高周波信号の侵入を防止する。なおこの実施例において、高周波遮断回路２４Ｌ、２４Ｒは、切替回路２１の出力ラインにフェライトビーズを配置したインダクタにより構成されるものの、種々のローパスフィルタを広く適用することができる。
【００１８】
コントローラ２３は、切替回路２１の動作を制御する制御手段であり、ジャック８に設けられた２つの中継ケーブル検出用端子（数字１及び８により表す）間の電位差を検出することにより、これら中継ケーブル検出用端子間の短絡を検出し、本体装置４への中継ケーブル２の接続を検出する。また本体装置４への中継ケーブル２の接続が検出されると、アンテナ切換回路２６の動作を制御し、チューナ２５のアンテナ入力をこの携帯電話１の通話用アンテナ２７から中継ケーブル２によるアンテナに切り換える。
【００１９】
またコントローラ２３は、２つのイヤホン検出用端子（数字３及び８により表す）間の電位差を検出することにより、これらイヤホン検出用端子間の短絡を検出し、中継ケーブル２へのイヤホン３の接続を検出する。また中継ケーブル２へのイヤホン３の接続が検出されると、切替回路２１の動作を切り換え、スピーカ２２に代えてイヤホン３から音声を出力する。
【００２０】
チューナ２５は、ユーザーの操作に応動したコントローラ２３の制御により受信周波数帯域をハイバンド及びローバンドで切り換え、アンテナ切換回路２６を介して入力される高周波信号からラジオ放送を受信してオーディオ信号ＳＡＬ、ＳＡＲを出力する。この実施例では、このハイバンドに、周波数１９０〔ＭＨｚ〕帯の放送波であるディジタルラジオ放送が割り当てられ、ローバンドに、周波数７０〜１１０〔ＭＨｚ〕の放送波であるＦＭ放送、ローバンドのテレビジョン放送が割り当てられる。
【００２１】
アンテナ切換回路２６は、この携帯電話１の通話用アンテナ２７をチューナ２５のアンテナ入力端に接続する。またコントローラ２３の制御により、中継ケーブル２が接続されると、通話用アンテナ２７に代えてジャック８のアンテナ入力端子（数字１により表す）をチューナ２５のアンテナ入力端に接続する。
【００２２】
この実施例では、このジャック８のアンテナ入力端子（数字１により表す）が、中継ケーブル検出用端子の一方を兼用され、また中継ケーブル用端子の他方とイヤホン検出用端子の一方とが１つの端子（数字８により表す）により兼用される。これに対してイヤホン検出用端子の他方が、オーディオ信号のアースライン用端子（数字３により表す）と兼用される。
【００２３】
中継ケーブル２は、多芯シールドケーブル３１の一端がジャック７に接続され、他端がプラグ５の背面に設けられた配線基板３２を介してプラグ５に接続される。ここでジャック７は、いわゆる４極のジャックであり、プラグ５の挿入により、最も先端側の２つの端子７Ｃ及び７Ｄが、３極のプラグ６の最も根元側端子６Ｃに接続され、根元側２つの端子７Ａ及び７Ｂがプラグ６の先端側２つの端子６Ａ及び６Ｂにそれぞれ接続される。これによりジャック７は、根元側２つの端子７Ａ及び７Ｂがオーディオ信号ＳＡＬ及びＳＡＲの伝送に割り当てられ、最も先端側の２つの端子７Ｃ及び７Ｄの一方がこれらオーディオ信号ＳＡＬ及びＳＡＲのアースラインに割り当てられる。また最も先端側の２つの端子７Ｃ及び７Ｄがプラグ６の挿入により短絡し、イヤホン３の接続検出用に割り当てられる。
【００２４】
多芯シールドケーブル３１は、図３に断面を取って示すように、４本の芯線ケーブルＬＬ、ＬＲ、ＬＧ、ＬＳが設けられ、これら４本の芯線ケーブルＬＬ、ＬＲ、ＬＧ、ＬＳを被覆線ＳＳにより同軸形状に被覆してシールドする。
【００２５】
中継ケーブル２は、これら４本の芯線ケーブルＬＬ、ＬＲ、ＬＧ、ＬＳのうちの３本の芯線ケーブルＬＬ、ＬＲ、ＬＧがオーディオ信号の伝送に割り当てられる。すなわちこれら３本の芯線ケーブルＬＬ、ＬＲ、ＬＧのうちの芯線ケーブルＬＬ、ＬＲがそれぞれ切替回路２１から出力されるオーディオ信号ＳＡＬ、ＳＡＲの伝送に割り当てられて、残りの芯線ケーブルＬＧがこれらオーディオ信号ＳＡＬ、ＳＡＲのアースラインに割り当てられる。
【００２６】
これにより芯線ケーブルＬＬ、ＬＲは、一端が配線基板３２、プラグ５、ジャック８を介して高周波遮断回路２４Ｌ、２４Ｒに接続され、また他端がそれぞれジャック７の端子７Ｂ、７Ａに接続される。また芯線ケーブルＬＧは、一端が配線基板３２上にて高周波遮断回路３３に接続され、この高周波遮断回路３３の他端がプラグ５、ジャック８を介して、本体装置４のオーディオ出力側アースラインに接続される。また他端が、ジャック７の端子７Ｃに接続される。なおここで高周波遮断回路３３は、高周波信号の本体装置４への進入を防止するために設けられ、高周波遮断回路２４Ｌ、２４Ｒと同一に構成される。これにより中継ケーブル２は、本体装置４から出力されるオーディオ信号ＳＡＬ、ＳＡＲによりイヤホン３のスピーカ１２Ｌ、１２Ｒを駆動する。
【００２７】
さらに中継ケーブル２は、残り１本の芯線ケーブルＬＳの一端が、イヤホン３の接続検出用の端子７Ｄに接続され、他端が配線基板３２上で高周波遮断回路３４に接続され、この高周波遮断回路３４の他端がプラグ５を介してジャック８のイヤホン検出用端子を兼用する中継ケーブル検出用端子に接続される。
【００２８】
また被覆線ＳＳのイヤホン３側端が開放端とされ、被覆線ＳＳの本体装置側端が配線基板３２、プラグ５を介して、ジャック８の中継ケーブル検出用端子に接続され、また高周波遮断回路３５を介して、高周波遮断回路３４の芯線ケーブルＬＳ側に接続される。これにより中継ケーブル２は、本体装置４に接続されると、端子１及び８間を短絡させ、コントローラ２３により中継ケーブル２の接続を検出できるようになされている。また被覆線ＳＳがチューナ２５のアンテナ入力端に接続されて、被覆線ＳＳの本体装置４側端が高周波的に芯線ケーブル、他の端子から絶縁され、これによりこの被覆線ＳＳがモノポールアンテナとして機能するようになされている。これにより被覆線ＳＳは、その長さがハイバンドの中心波長の約１／４波長の長さに設定され、ハイバンドにおいて、効率良く高周波信号が誘起するようになされている。なお被覆線ＳＳの長さは、１／４波長の奇数倍の長さに設定して、対応する周波数待機の放送波を効率良く受信することができる。
【００２９】
またイヤホン３が接続されると、ジャック７の端子７Ｃ及び７Ｄの短絡により、ジャック８の端子３及び８を介してコントローラ２３によりイヤホン３の接続を検出できるようになされている。
【００３０】
中継ケーブル２は、多芯シールドケーブル３１にジャック７、プラグ５を接続した後、それぞれ多芯シールドケーブル３１側を樹脂でモールドして作成される。
【００３１】
（２）実施例の動作
以上の構成において、この携帯電話１では（図１）、何ら中継ケーブル２を接続していない状態では、ジャック８の端子１及び８間が開放された状態に保持され、コントローラ２３によりこの開放状態が検出され、これにより中継ケーブル２が接続されていないことがコントローラ２３により検出される。これにより携帯電話１では、通話用アンテナ２７を用いて放送波を受信するようにアンテナ切換回路２６の動作がコントローラ２３により制御され、内蔵のスピーカ２２にオーディオ信号ＳＡＬ、ＳＡＲを出力するように、コントローラ２３により切替回路２１が設定される。
【００３２】
これにより携帯電話１では、通話用アンテナ２７を用いてチューナ２５により放送波が受信され、その受信結果であるオーディオ信号ＳＡＬ、ＳＡＲが増幅回路２０Ｌ、２０Ｒにより増幅され、内蔵のスピーカ２２により再生される。これにより携帯電話１では、内蔵のスピーカ２２を使用して種々のラジオ放送を楽しむことができる。
【００３３】
これに対してイヤホン３を接続しない状態で、中継ケーブル２だけが本体装置４に接続されると、この場合、ジャック８の端子１及び８間が高周波遮断回路３４、３５により接続され、直流的に短絡状態となる。これによりコントローラ２３において、中継ケーブル２の接続が検出される。
【００３４】
これにより携帯電話１では、コントローラ２３によりアンテナ切換回路２６の動作が切り換えられ、中継ケーブル２の被覆線ＳＳがチューナ２５のアンテナ入力端に入力される。ここでこの被覆線ＳＳは、イヤホン３側が開放端とされて芯線ケーブル等と絶縁され、本体装置４側端が高周波遮断回路３５により高周波的に絶縁されて芯線ケーブルＬＳのみに接続されていることにより、本体装置４の付け根部分に給電点を有するモノポールアンテナとして機能する。これにより携帯電話１では、通話用アンテナ２７に代えてこの被覆線ＳＳに誘起された高周波信号によりチューナ２５で放送波を受信してオーディオ信号ＳＡＬ、ＳＡＲが再生され、このオーディオ信号ＳＡＬ、ＳＡＲが内蔵のスピーカ２２により再生される。
【００３５】
このようにして被覆線ＳＳに誘起された高周波信号により放送波を受信するにつき、この実施例では被覆線ＳＳの長さがハイバンドの受信波長の１／４波長に設定されていることにより、ハイバンドの放送波については、効率良く放送波を受信することができる。またローバンドの放送波については、ハイバンドの場合に比して効率は落ちるものの、通話用のアンテナ２７により放送波を受信する場合に比して格段的に効率良く放送波を受信することができ、これによりローバンドを受信する場合でも、効率良く放送波を受信することができる。
【００３６】
これに対して中継ケーブル２のジャック７にイヤホン３が接続されると、このイヤホン３のプラグ６によりジャック７の端子７Ｃ及び７Ｄが短絡状態とされる。またこの端子７Ｃ及び７Ｄに接続されたアースラインの芯線ケーブルＬＧとイヤホン検出用の芯線ケーブルＬＳとがそれぞれ接続されたジャック８の端子３及び８間の電位差の検出により、これら端子７Ｃ及び７Ｄの短絡が検出され、これによりイヤホン３の接続が本体装置４のコントローラ２３で検出される。
【００３７】
これにより携帯電話１では、コントローラ２３により切替回路２１の動作が切り換えられ、オーディオ信号ＳＡＬ及びＳＡＲの出力が内蔵のスピーカ２２から中継ケーブル２に切り換えられる。これにより携帯電話１では、この切替回路２１から出力されるオーディオ信号ＳＡＬ及びＳＡＲが高周波遮断回路２４Ｌ、２４Ｒ、ジャック８、プラグ５を順次介して芯線ケーブルＬＬ及びＬＲに出力され、この芯線ケーブルＬＬ及びＬＲに出力されたオーディオ信号ＳＡＬ及びＳＡＲがジャック７を介してイヤホン３に出力される。また中継ケーブル２へのイヤホン３の接続により、オーディオ信号ＳＡＬ及びＳＡＲのアースラインに割り当てられた芯線ケーブルＬＧがイヤホン３に接続され、本体装置４への中継ケーブル２の接続により、この芯線ケーブルＬＧが本体装置４のオーディオ出力のアースに接続される。これにより携帯電話１では、内蔵スピーカ２２に代えてイヤホン３によりラジオ放送の音声を聴取することができる。
【００３８】
このとき携帯電話１では、ハイバンドの放送波を受信する場合、このハイバンドの波長の１／４波長の長さに被覆線ＳＳの長さが設定されていることにより、図４に示すように、人体に接触する部位であるイヤホン３のケーブル１１に誘起された高周波信号については、チューナ２５に入力しないようにして、中継ケーブル２の被覆線ＳＳに誘起された高周波信号が選択的にチューナ２５に入力されて所望の放送波が受信される。これによりこの携帯電話１では、人体の影響による受信状況の変化、劣化を有効に回避して安定に所望する放送波を受信することができる。
【００３９】
これに対してローバンドを受信する場合には、中継ケーブル２の芯線ケーブルと被覆線ＳＳとの間の結合により、被覆線ＳＳとイヤホン３のケーブル１１とによりモノポールアンテナが構成され、この被覆線ＳＳとイヤホン３のケーブル１１とに誘起された高周波信号によりチューナ２５で放送波が受信される。これによりこの場合、ハイバンドを受信する場合には、イヤホン３を接続しても特に受信状況が向上しないのに対し、ローバンドを受信する場合には、イヤホン３の接続により受信状況を向上することができ、一段と安定にローバンドの放送波を受信することができる。
【００４０】
（３）実施例の効果
以上の構成によれば、イヤホンのプラグの接続により、ジャックに設けた端子間が短絡するようにし、この端子間の短絡を本体装置で検出可能に芯線ケーブルを接続することにより、イヤホン接続端を大型化することなく、簡易な構成でイヤホンの接続を検出可能とすることができる。
【００４１】
またこのイヤホンのプラグが、３極のプラグであり、中継ケーブルのジャックが、４極のジャックであることにより、ステレオ方式によるイヤホンに適用して、簡易な構成によりイヤホンの接続を検出することができる。
【００４２】
またこの中継ケーブルをプラグ及びジャックを介して本体装置に接続することにより、中継ケーブルを必要に応じて本体装置から取り外してユーザーの利便を図ることができる。
【００４３】
また本体装置側端において、高周波遮断回路を介して芯線ケーブルの少なくとも一部を被覆線に接続することにより、高い周波数では、被覆線をアンテナとして使用して、低い周波数では被覆線とイヤホンのケーブルとをアンテナとして使用して、所望の放送波を受信することができる。
【００４４】
また被覆線を、チューナの受信波長の１／４波長の奇数倍の長さに設定したことにより、効率良く放送波を受信することができる。
【００４５】
また右チャンネルのオーディオ信号、左チャンネルのオーディオ信号、右チャンネル及び左チャンネルのアースラインをジャックの各端子割り当てるようにして、これらの端子のうちのアースラインが割り当てられた端子との間でジャックの挿入により短絡状態となるようにイヤホン検出用の端子を設けることにより、アースラインとイヤホン検出用とで端子を兼用してイヤホンの接続を検出することができる。
【実施例２】
【００４６】
図５は、図１との対比により本発明の実施例２の携帯電話の構成を示すブロック図である。この携帯電話４１は、中継ケーブル２に代えて中継ケーブル４２が接続される。またこの中継ケーブル４２は、高周波遮断回路３４の本体装置４側端が複数の端子に接続される点を除いて、実施例１の中継ケーブル２と同一に構成される。
【００４７】
この実施例のように高周波遮断回路の本体装置側端をジャックの他の端子に接続し、必要に応じて複数の端子間でイヤホンの接続を検出できるようにすれば、一段と確実にイヤホンの接続を検出することができ、信頼性を向上することができる。
【実施例３】
【００４８】
なお上述の各実施例では、プラグ６のアース端子６Ｃにより、ジャック７の端子７Ｃ、７Ｄを短絡させてイヤホンの接続を検出する場合について述べたが、本発明はこれに限らず、プラグ６の他の端子により、ジャック７の他の端子を短絡させてイヤホンの接続を検出してもよい。
【００４９】
また上述の実施例では、イヤホン検出用の芯線ケーブルの１つをアース用の芯線ケーブルと兼用する場合について述べたが、本発明はこれに限らず、イヤホン検出用の芯線ケーブルＬＳに加えて、専用の他の芯線ケーブルを設けるようにしてもよい。
【００５０】
また上述の実施例では、高周波遮断回路を介してイヤホン検出用の芯線ケーブルを被覆線に接続する場合について述べたが、本発明はこれに限らず、イヤホン検出用の芯線ケーブルに代えて他の芯線ケーブルを被覆線に接続してもよい。
【００５１】
また上述の各実施例では、プラグ及びジャックを介して本体装置に中継ケーブルを接続する場合について述べたが、本発明はこれに限らず、いわゆる作り付けにより中継ケーブルを本体装置に接続する場合にも広く適用することができる。
【００５２】
また上述の各実施例では、単にイヤホン用のオーディオ信号を中継ケーブルで伝送する場合について述べたが、本発明はこれに限らず、例えば本体装置を遠隔制御するリモコンンを有する中継ケーブル、マイクを有するいわゆるヘッドセットのイヤホンを接続する中継ケーブル等に広く適用することができる。
【００５３】
また上述の各実施例では、本発明をラジオ放送機能を有する携帯電話に適用する場合について述べたが、本発明はこれに限らず、ラジオ放送、テレビジョン放送を受信する携帯型の各種受信装置に広く適用することができる。
【産業上の利用可能性】
【００５４】
本発明は、例えばディジタルラジオ放送等を受信可能な携帯電話に適用することができる。
【図面の簡単な説明】
【００５５】
【図１】本発明の実施例１の携帯電話を示すブロック図である。
【図２】図１の携帯電話の斜視図である。
【図３】図１の携帯電話の中継ケーブルにおける多芯シールドケーブルの断面図である。
【図４】図１の携帯電話における放送波の受信の説明に供する略線図である。
【図５】本発明の実施例２の携帯電話を示すブロック図である。
【符号の説明】
【００５６】
１、４１……携帯電話、２、４２……中継ケーブル、３……イヤホン、４……本体装置、５、６……ジャック、７、８……プラグ、１１……ケーブル、２０Ｌ、２０Ｒ……増幅回路、２１……切替回路、２３……コントローラ、２４Ｌ、２４Ｒ、３３、３４……高周波遮断回路、２５……チューナ、３１……多芯シールドケーブル
【図１】
2008311704.tif 000003
【図２】
2008311704.tif 000004
【図３】
2008311704.tif 000005
【図４】
2008311704.tif 000006
【図５】
2008311704.tif 000007